(57)【特許請求の範囲】
【請求項１】
本体を支持する脚部と、天面に設けられた被加熱調理器具を載置するトッププレートと、前記トッププレートの下部に設けられた複数の誘導加熱コイルと、前記複数の誘導加熱コイルより下方にあるロースターと、前記ロースターの上部に配置された遮熱隔壁と、前記ロースターの横に設けられ前記誘導加熱コイルの通電を制御する駆動回路と、前記ロースターが位置する側の本体上面に前記ロースター排気口及び前記本体冷却用の冷却風を排出する排気口と、を備え、前記本体背面に設けられた吸気口と、前記駆動回路の後方に設けられ前記吸気口とつながっている吸気ファンケースにより覆われて前記駆動回路を冷却する冷却ファンと、を設け、外部の空気が前記吸気口より吸入され冷却風が前記吸気ファンケースの吐出口から前記駆動回路を冷却しながら前記本体内を流れ前記遮熱隔壁の上面を通過して前記排気口から排気され、前記排気口及び前記ロースター排気口から排出される排気方向と前記吸気口から吸引する吸気方向が同一方向ではないようにすると共に、前記吸気口にルーバーを設け、前記ルーバーを本体背面よりも外側に突出させ、かつ前記ルーバーの開口部は下方又は前記ロースターが位置する方向と反対の方向に向けた誘導加熱調理器。
【請求項２】
ルーバーを本体背面よりも外側に突出させ、かつ前記ルーバーの開口部は下方又はロースターが位置する方向と反対の方向に向けることに代え、前記ルーバーの開口部を前記本体背面よりも内側に突出させ、かつ上方に向けた構成の請求項１記載の誘導加熱調理器。
【請求項３】
本体を支持する脚部と、天面に被加熱調理器具を載置するトッププレートと、前記トッププレートの下部に設けられた複数の誘導加熱コイルと、前記複数の誘導加熱コイルより下方に設けられたロースターと、通電を制御する駆動回路と、前記駆動回路と本体背面との間に本体内部を冷却するための冷却ファンとを有し、前記ロースターが位置する側の本体上面にロースター排気口と本体冷却用の冷却風を排出する排気口を設け、前記ロースターが位置する側とは反対側の本体背面に本体冷却用の第１の吸気口を設け、本体外郭底面後方に第２の吸気口を設け、前記第２の吸気口を冷却ファンの位置よりも後方に設けた誘導加熱調理器。
【請求項４】
本体底面後方に設けた第２の吸気口は、開口部の一部が本体外郭底面よりも突出した傾斜部を備え、前記傾斜部はロースターが位置する方向に傾斜していない請求項３記載の誘導加熱調理器。
【請求項５】
本体底面後方に設けた第２の吸気口と冷却ファンとの間に位置し、本体底面から外側に突出した凸溝を備え、かつ前記凸溝には水抜き穴を設けた請求項３記載の誘導加熱調理器。
【発明の詳細な説明】
【０００１】
【発明の属する技術分野】
本発明はロースターを備えるキッチン等への据え置き型の誘導加熱調理器に関するものである。
【０００２】
【従来の技術】
従来この種の誘導加熱調理器の構成は、図１１の斜視図に示すように、キッチンにあるキャビネット１の上に載置されて使用するものである。本体外郭天面と前面を除く外郭近傍は、キッチンのキャビネット１によって囲まれている。前記誘導加熱調理器は、箱状の本体２の外郭底面に本体２を支持する脚部３を有し、外郭天面にはトッププレート４が設けられ、前記トッププレート４の下部に、１組の誘導加熱コイル５、６を略対称形左右に設置し、その下方前側に冷却ファン７，８、下方後側に駆動回路基板９，１０を備え、前記誘導加熱コイル５，６と個々に対応している。冷却ファン７，８の下部に吸気口１１，１２を有している。そして、本体背面に排気口１３を設ける構成としている。
【０００３】
個々の誘導加熱コイル５，６および駆動回路基板９，１０が個々の冷却ファン７，８によって冷却されるので非常に効率的に本体内の冷却が実現できるものであった。また、本体内の冷却風の流れを図１２の概略図に示す。本体底面に設けられた吸気口１１，１２から脚３によって確保されたキャビネット１と本体底面の空間より外気を吸入する（吸気風の流れ：１４）。吸気口１１，１２より吸入された外気は誘導加熱コイル５，６および駆動回路基板９，１０を冷却して（本体内部の冷却風の流れ：１５）、本体背面に設けられた排気口１３より外部へ排出される（本体冷却風の排気の流れ：１６）。
【０００４】
【発明が解決しようとする課題】
しかしこのような構成の誘導加熱調理器は、２個の誘導加熱コイル５，６および駆動回路基板９，１０に対して、２個の冷却ファン７，８が必要になるためコスト的にも高くなり、また、キャビネット１上に設置して使用するためキッチンの壁面に本体背面に設けられた排気口１３から排出された風が当たり、その一部は底面の吸気口１１、１２に回り込み、比較的高温の排気を吸気口１１、１２から再吸入してしまい、冷却性能に影響を与えてしまう。また、本体２にはロースター機能が付いておらず、キッチンでロースター調理を行う場合、ロースター機能を備えた別の調理器が必要となり、そのために調理スペースを確保しなければいけなかった。
【０００５】
その上、本体底面前方に誘導加熱コイル５，６および駆動回路基板９，１０の冷却に必要な外気を取り込む吸気口１１，１２を設けているため、現構成のままではロースターを設置することができず、さらに、キッチンに設置するための本体の幅および高さ寸法が決まっているので、構成上十分な庫内広さのロースターを備えた誘導加熱調理器を提供することは困難であった。本発明はこれら上記課題を解決することを目的とする。
【０００６】
【課題を解決するための手段】
上記課題を解決するために本発明は、本体を支持する脚部と、天面に設けられた被加熱調理器具を載置するトッププレートと、前記トッププレートの下部に設けられた複数の誘導加熱コイルと、前記複数の誘導加熱コイルより下方にあるロースターと、前記ロースターの上部に配置された遮熱隔壁と、前記ロースターの横に設けられ前記誘導加熱コイルの通電を制御する駆動回路と、前記ロースターが位置する側の本体上面に前記ロースター排気口及び前記本体冷却用の冷却風を排出する排気口と、を備え、前記本体背面に設けられた吸気口と、前記駆動回路の後方に設けられ前記吸気口とつながっている吸気ファンケースにより覆われて前記駆動回路を冷却する冷却ファンと、を設け、外部の空気が前記吸気口より吸入され冷却風が前記吸気ファンケースの吐出口から前記駆動回路を冷却しながら前記本体内を流れ前記遮熱隔壁の上面を通過して前記排気口から排気され、前記排気口及び前記ロースター排気口から排出される排気方向と前記吸気口から吸引する吸気方向が同一方向ではないようにすると共に、前記吸気口にルーバーを設け、前記ルーバーを本体背面よりも外側に突出させ、かつ前記ルーバーの開口部は下方又は前記ロースターが位置する方向と反対の方向に向けた誘導加熱調理器を提供するものである。
【０００７】
【発明の実施の形態】
本発明の請求項１記載の発明は、本体を支持する脚部と、天面に設けられた被加熱調理器具を載置するトッププレートと、前記トッププレートの下部に設けられた複数の誘導加熱コイルと、前記複数の誘導加熱コイルより下方にあるロースターと、前記ロースターの上部に配置された遮熱隔壁と、前記ロースターの横に設けられ前記誘導加熱コイルの通電を制御する駆動回路と、前記ロースターが位置する側の本体上面に前記ロースター排気口及び前記本体冷却用の冷却風を排出する排気口と、を備え、前記本体背面に設けられた吸気口と、前記駆動回路の後方に設けられ前記吸気口とつながっている吸気ファンケースにより覆われて前記駆動回路を冷却する冷却ファンと、を設け、外部の空気が前記吸気口より吸入され冷却風が前記吸気ファンケースの吐出口から前記駆動回路を冷却しながら前記本体内を流れ前記遮熱隔壁の上面を通過して前記排気口から排気され、前記排気口及び前記ロースター排気口から排出される排気方向と前記吸気口から吸引する吸気方向が同一方向ではないようにすると共に、前記吸気口にルーバーを設け、前記ルーバーを本体背面よりも外側に突出させ、かつ前記ルーバーの開口部は下方又は前記ロースターが位置する方向と反対の方向に向けた誘導加熱調理器とすることで、各々の排気口から排出される熱気及び煙を吸気口に設けたルーバーにより再吸入し難くし、新鮮な外気をスムーズに吸引することができ、冷却性能をさらに上げることができる。また、トッププレートに載置した調理容器から液体がこぼれ、天面から背面へと垂れてくる液体や本体背面と対向する壁に勢い良く水がかかったときに生じる壁面からの液体の跳ね返りによる内部への侵入を防止することができる。また、ルーバーが遮音壁の役目を果たすため調理中に使用者が感じる騒音を低減することができる。その他、背面を何らかの理由で対向する壁面に近接して設置された場合、ルーバーの突出部によって確保された空間により吸気口は完全に遮蔽されることなく使用することができるため、吸気口を全て遮蔽されて機器内の駆動回路の温度上昇により、すぐに壊れてしまうこともない。
【０００８】
本発明の請求項２記載の発明は、ルーバーを本体背面よりも外側に突出させ、かつ前記ルーバーの開口部は下方又はロースターが位置する方向と反対の方向に向けることに代え、前記ルーバーの開口部を前記本体背面よりも内側に突出させ、かつ上方に向けた構成とすることで、請求項１記載の発明の効果よりも本体内部への液体の侵入をより確実に防止することができ、開口面積も大きく取ることができる。また、背面の吸気口部に突出部がないため外観上もすっきりしている。
【０００９】
本発明の請求項３記載の発明は、本体を支持する脚部と、天面に被加熱調理器具を載置するトッププレートと、前記トッププレートの下部に設けられた複数の誘導加熱コイルと、前記複数の誘導加熱コイルより下方に設けられたロースターと、通電を制御する駆動回路と、前記駆動回路と本体背面との間に本体内部を冷却するための冷却ファンとを有し、前記ロースターが位置する側の本体上面にロースター排気口と本体冷却用の冷却風を排出する排気口を設け、前記ロースターが位置する側とは反対側の本体背面に本体冷却用の第１の吸気口を設け、本体外郭底面後方に第２の吸気口を設け、前記第２の吸気口を冷却ファンの位置よりも後方に設ける構成としたことにより、吸気口から侵入した液体を冷却ファンから遠ざけることで冷却ファンの吸引力によって吸い込みにくくすることができる。また、本体が設置されるキャビネット上に堆積する粉塵を直接吸い込み難くすることができる。
【００１０】
本発明の請求項４記載の発明は、本体外郭底面後方に設けた第２の吸気口は、開口部の一部が本体外郭底面よりも突出した傾斜部を備え、前記傾斜部はロースターが位置する方向に傾斜していない構成とすることで、ロースターが位置する底面の比較的熱くなった外気を吸い込みにくくし、また第２の吸気口は本体内部に侵入した液体を傾斜に沿ってスムーズに外部へ排出する水抜き作用を兼ね備えたものとなり、吸気通路を狭めることがないので、圧力損失により冷却ファンの性能が低下して冷却性能に影響を与えることもない。
【００１１】
本発明の請求項５記載の発明は、本体外郭底面後方に設けた第２の吸気口と冷却ファンとの間に位置し、本体外郭底面から外側に突出した凸溝を備え、かつ前記凸溝には水抜き穴を設けた構成とすることで、内側に突出させるよりも吸気通路を狭めることなく、本体内部に侵入した液体を凸溝に誘い込むことができ、また凸溝に設けた穴から外部へ排出することができる。さらに、底面の外側に突出しているため、接地面と脚との間の空間を狭めて、底面に設けた第２の吸気口から吸い込まれる熱気の侵入を防止することができる。
【００１２】
【実施例】
（実施例１）
以下に本発明の実施例１について図１、図２および図３を参照して説明する。図１は本発明の据え置き型誘導加熱調理器本体をキッチンのキャビネットに設置した状態の斜視図を示し、図２はロースター庫内排気および本体内の冷却風の流れの概略図、図３に本体背面に設けた吸気口付近断面の概略図を示す。
【００１３】
図１において、箱状の本体２１は、上面にトッププレート２２が載置され、トッププレート２２の下部には、２個の誘導加熱コイルが本体２１の略中央より左側に左誘導加熱コイル２３、右側に右誘導加熱コイル２４が配置されている。ロースター部２５は左誘導加熱コイル２３の下方に設けられている。本体２１の高さ寸法が制限されているため、ロースター部２５を配置している本体左側の上部は、遮熱隔壁２６を介して、限られた空間内に左誘導加熱コイル２３のみが配設されている。ロースター部２５庫内の排気は、本体２１の上面後方に開口部（ａ）２７を設けており、そこから排気される。ロースター部庫内から開口部（ａ）２７までは、ロースター部２５庫内後方より排気ダクト２８を介して連結している。右誘導加熱コイル２４の下方前方には、左右の誘導加熱コイル各々に対応した駆動回路基板２９，３０が積層構造を構成するようになっている。さらに、その後方には積層された駆動回路基板２９、３０を同時に冷却することのできる１個の冷却ファン３１があり、その上側に冷却ファン３１を駆動する冷却ファンモーター３２が取り付けられ、吸気ファンケース３３によって覆われている。
【００１４】
さらに、本体２１の外郭背面には吸気口３４を設けており、図３に示すように開口部を下方に向けたルーバー３５が設けられている。吸気口３４は吸気ファンケース３３とつながっている。吸気ファンケース３３の吐出口３３−ａより送風される冷却風は、積層構造に配置された駆動回路基板２９，３０および左右の誘導加熱コイル２３，２４を冷却し、遮熱隔壁２６の上面を通過して、本体外郭後部上面に設けられた開口部（ａ）２７よりロースター庫内の排気と共に排出される。以上のように本体２１は、全体が外郭により一体化され、外郭の底に設けられた脚部３６によって支持され、キッチンのキャビネット３７に載置され、本体外郭の天面と前面を除く外郭はキッチンのキャビネット３７によって囲まれる構成となっている。
【００１５】
次に、本実施例の作用について図２を参照して説明する。左右の誘導加熱コイル２３，２４およびロースター部２５を使用する全ての組み合わせの場合において、冷却ファンモーター３２は通電され、冷却ファンモーター３２の駆動により冷却ファン３１が回転すると冷却ファン３１の送風作用により、外部の空気（吸気風の流れ：３８）が吸気口３４より吸入され吸気ファンケース３３の吐出口３３−ａより、前方にある積層構造に配置されている駆動回路基板２９，３０を冷却しながら本体内を流れ（本体内部の冷却風の流れ：３９）、遮熱隔壁２６の上面を通過して本体外郭後部上面の開口部（ａ）２７より排気される。（本体冷却風の排気の流れ：４０）。この時ロースター部２５庫内の排気も本体後方上面にある開口部（ａ）２７から一緒に排気される（ロースター庫内の排気の流れ：４１）。
【００１６】
この結果、ロースター部２５庫内の排気と本体内の冷却に使用した比較的高温となった排気をまとめて本体上面の開口部（ａ）２７から熱気及び煙が排出される排気方向と吸気口から吸引する吸気方向が同一方向ではないため、本体内の冷却により比較的温度が高くなった排気を再度吸気口３４から取り込むことを防ぎ、常に新鮮な外気を吸入することができるため、本体内部の冷却性能を低下させることなく使用することができ、また図３に示すようにさらに、ルーバー３５を設けたことで前述の効果をさらに高めることができる。また、熱気を再吸入しにくいので、本体内部が熱気による温度上昇で保護装置が動作することもない。さらに、トッププレート２２上で水がこぼれたときに背面をつたう水４２の本体内への浸入もルーバー３５の効果によって容易には起こらない。また、背面と対向する壁面からの跳ね返りの水４３が内部に侵入するのを防止することができる。
【００１７】
その他、さらにルーバー３５が遮音壁の役目を果たし、従来よりも使用者が感じる騒音を低減することができ、また排気口の開口部（ａ）２７以外は、上面はフラットになっており、そのため調理スペースを広げることができ、そのため調理中において吸気口３４をうっかり遮蔽してしまうこともない。また、背面を何らかの理由で対向するキャビネット３７の壁面に近接して設置された場合でも、ルーバー３５の突出部によって確保された空間により吸気口３４は完全に遮蔽されることなく、安全に使用することができる。
【００１８】
本発明は上記に示した実施例にのみ限定されるものではなく、駆動回路基板が１つ、または誘導加熱コイルや駆動回路基板を３個以上用いても良く、またロースター排気口の開口部が上面以外の場所にあっても、吸気口から外気を吸引する吸気方向が排気口から熱気や煙が排出される方向と同一方向でなければ構わない。
【００１９】
さらに、ルーバーの開口方向はロースターが位置する方向とは反対方向でも同様の効果が得られる。
【００２０】
（実施例２）
以下に本発明の第２の実施例について図４および図５を参照して説明する。図４は本発明の据え置き型誘導加熱調理器本体をキッチンのキャビネットに設置した状態の斜視図を示し、図５は本体背面に設けた吸気口付近断面の概略図を示す。図４において、本体５１、トッププレート５２、左誘導加熱コイル５３、右誘導加熱コイル５４、ロースター部５５、遮熱隔壁５６、開口部（ａ）５７、排気ダクト５８、駆動回路基板５９，６０、冷却ファン６１、冷却ファンモーター６２、吸気ファンケース６３、吐出口６３−ａ、脚６５、キャビネット６６は前記実施例１と同様の構成である。前記実施例１と異なるのは、図５に示すように本体背面の左右両端に背面とキャビネット６６の外壁との空間を確保するためのスペーサー６７と吸気口６４のルーバー６８が内部へ突出している点である。本実施例における本体内の冷却風の流れは、実施例１と同様であるので省略する。
【００２１】
この構成では次のような効果が得られる。トッププレート５２上で水がこぼれたときに外郭背面をつたう水６９や、外郭背面と対向する壁面からの跳ね返りによる水７０が内部に侵入するのを実施例１の構成よりもさらに確実に防止することができる。また、背面の吸気口部６４に突出部がないため外郭もすっきりしており、スペーサー６７が背面両端に設けられていることより、吸気口６４が完全に遮蔽されることなく吸気口付近のスペースを確保することができる。その他、実施例１と同様に調理中に使用者が感じる騒音も低減することができる。
【００２２】
（実施例３）
以下に本発明の第３の実施例について図６、図７および図８を参照して説明する。図６は本発明の据え置き型誘導加熱調理器本体をキッチンのキャビネットに設置した状態の斜視図を示し、図７はロースター庫内の排気および本体内の冷却風の流れの概略図を示す。図８は、本体背面に設けた吸気口付近断面の概略図を示す。
【００２３】
図６において、本体７１、トッププレート７２、左誘導加熱コイル７３、右誘導加熱コイル７４、ロースター部７５、遮熱隔壁７６、開口部（ａ）７７、排気ダクト７８、駆動回路基板７９，８０、冷却ファン８１、冷却ファンモーター８２、吸気ファンケース８３、吐出口８３−ａ、脚８５、キャビネット８６は実施例１と同様の構成である。実施例１と異なるのは、図８に示すように、本体背面に第１の吸気口８４−ａと本体外郭底面後方に第２の吸気口８４−ｂを備え、前記第１の吸気口８４−ａと第２の吸気口８４−ｂは、吸気ファンケース８３とつながっており、前記第２の吸気口８４−ｂの位置を冷却ファン８１よりも後方に設けた構成としている点である。
【００２４】
本実施例における本体内の冷却風の流れを図７に示す。第１の吸気口８４−ａより吸入される外気（第１の吸気口からの吸気風の流れ：８７−ａ）、と第２の吸気口８４−ｂより吸入される外気（第２の吸気口からの吸気風の流れ：８７−ｂ）は、吐出口８３−ａより一緒に排出され、積層構造に配置された駆動回路基板７９，８０および左右の誘導加熱コイル７３，７４を冷却し（本体内部の冷却風の流れ：８８）、遮熱隔壁５６の上面を通過して本体外郭後部の開口部（ａ）７７より排出される（本体冷却風の排気の流れ：８９−ａ）。この時、ロースター庫内の排気も開口部（ａ）７７から一緒に排出される（ロースター庫内の排気の流れ：８９−ｂ）。
【００２５】
このような構成では次のような効果が得られる。図８に示すように第１の吸気口８４−ａから水や異物が侵入しても冷却ファンから遠ざけることで冷却ファンの吸引力によって吸い込みにくくすることができる。また、本体が設置されるキャビネット上に堆積する粉塵を直接吸い込みにくくすることにより、ファンモーターに粉塵などが付着して動作不良をおこすことなく調理器本体の信頼性を高めることができる。
【００２６】
本発明は上記に示した実施例にのみ限定されるものではなく、第２の吸気口が底面前方にあっても構わない。
【００２７】
（実施例４）
本発明の実施例４については、図９に本体外郭底面に設けた第２の吸気口付近断面の概略図を示す。図９において、本体９１、トッププレート９２、冷却ファン９３、冷却ファンモーター９４、吸気ファンケース９５、吐出口９５−ａ、第１の吸気口９６−ａ、脚部９７、キャビネット９８は実施例３と同様であり、その他の構成も実施例３の図６と同様である。実施例３と異なるのは第２の吸気口９６−ｂにおいて、開口部の一部が傾斜している構成となっている点である。ロースター庫内の排気及び本体内の冷却風の流れは実施例３の図７と同様なので省略する。
【００２８】
このような構成では次のような効果が得られる。キッチンのキャビネット９８に設置する場合に、本体背面に設けられた第１の吸気口９６−ａを何らかの理由で遮蔽されても本体外郭底面後方にある第２の吸気口９６−ｂが本体支持用の脚部９７によって空間を確保しており、吸気口を遮蔽されて機器内の駆動回路の温度上昇により、すぐに壊れてしまったり、保護装置が働いてしまったりすることもない。また、第２の吸気口９６−ｂが何らかの理由で遮蔽されても、同様な効果がある。さらに、吸気面積を実施例３よりも大きく取ることができるので、冷却ファンへの圧力損失をより少なくし、外気を効率よく吸い込むことができる。その他、第１の吸気口９６−ａから水や異物が侵入しても第２の吸気口９６−ｂの傾斜部を設けた開口部より外部へスムーズに排出されるため、容易にファンモーターに吸引されることもなく動作不良に対し調理器本体の信頼性を高めることのできる誘導加熱調理器を実現することができる。
【００２９】
（実施例５）
本発明の実施例５については、図１０に本体外郭底面に設けた第２の吸気口付近断面の概略図を示す。図１０において、本体１０１、トッププレート１０２、冷却ファン１０３、冷却ファンモーター１０４、吸気ファンケース１０５、吐出口１０５−ａ、第１の吸気口１０６−ａ、第２の吸気口１０６−ｂ、脚部１０７、キャビネット１０８は実施例３と同様であり、その他の構成も実施例３の図６と同様である。実施例３と異なる構成は吸気ファンケース１０５の内部で第２の吸気口１０６−ｂと冷却ファン１０３との間に凸溝１０９が外郭底面から外側に突出しており、凸溝１０９には水抜き穴１１０が設けられている点である。ロースター庫内の排気及び本体内の冷却風の流れは実施例３の図７と同様なので省略する。
【００３０】
このような構成では次のような効果が得られる。凸溝１０９を内側に突出させると、吸気通路を狭めてしまい、冷却ファンへの圧力損失が大きくなり必要な風量を確保することができないが、本構成においては、吸気通路を狭めることなく、本体内部に侵入した液体をファンの吸引力によって底面を移動し、凸溝に誘い込むことができ、そして凸溝１０９に設けた水抜き穴１１０から外部へ排出することができる。さらに、底面の外側に突出しているため、接地面と脚との間の空間を狭めて、底面に設けた第２の吸気口から吸い込まれる熱気を侵入し難くすることができる。
【００３１】
【発明の効果】
上記に示したように、本発明によれば、無理なくロースターを本体内に設置することができ、また各々の排気口から排出される熱気及び煙を吸気口に設けたルーバーにより再吸入し難くし、新鮮な外気をスムーズに吸引することができ、冷却性能をさらに上げることができる。また、トッププレートに載置した調理容器から液体がこぼれ、天面から背面へと垂れてくる液体や本体背面と対向する壁に勢い良く水がかかったときに生じる壁面からの液体の跳ね返りによる内部への侵入を防止することができる。また、ルーバーが遮音壁の役目を果たすため調理中に使用者が感じる騒音を低減することができる。その他、背面を何らかの理由で対向する壁面に近接して設置された場合、ルーバーの突出部によって確保された空間により吸気口は遮蔽されることなく使用することができるため、吸気口を全て遮蔽されて機器内の駆動回路の温度上昇により、すぐに壊れてしまうこともない。
【００３２】
また、請求項３記載の発明によれば、吸気口から侵入した液体を冷却ファンから遠ざけることで吸引力によって吸い込みにくくすることができる。また、本体が設置されるキャビネット上に堆積する粉塵を直接吸い込み難くすることができる。
【図面の簡単な説明】
【図１】  本発明の実施例１におけるキャビネット設置時の誘導加熱調理器の分解斜視図
【図２】  本発明の実施例１における誘導加熱調理器のロースター庫内の排気及び本体内の冷却風の流れの概略図
【図３】  本発明の実施例１における誘導加熱調理器の本体背面に設けた吸気口付近断面の概略図
【図４】  本発明の実施例２におけるキャビネット設置時の誘導加熱調理器の斜視図
【図５】  本発明の実施例２における誘導加熱調理器の本体背面に設けた吸気口付近断面の概略図
【図６】  本発明の実施例３におけるキャビネット設置時の誘導加熱調理器の斜視図
【図７】  本発明の実施例３における誘導加熱調理器のロースター庫内の排気及び本体内の冷却風の流れの概略図
【図８】  本発明の実施例３における誘導加熱調理器の本体背面に設けた吸気口付近断面の概略図
【図９】  本発明の実施例４における誘導加熱調理器の本体外郭底面に設けた第２の吸気口付近断面の概略図
【図１０】  本発明の実施例５における誘導加熱調理器の本体外郭底面に設けた第２の吸気口付近断面の概略図
【図１１】  従来例のキャビネット設置時の誘導加熱調理器の分解斜視図
【図１２】  従来例における本体内の冷却風の流れの概略図
【符号の説明】
２、２１、５１、７１、９１、１０１  本体
３、３６、６５、８５、９７、１０７  脚部
４、２２、５２、７２、９２、１０２  トッププレート
５、６、２３、２４、５３、５４、７３、７４  誘導加熱コイル
７、８、３１、６１、８１、９３、１０３  冷却ファン
９、１０、２９，３０、５９、６０、７９、８０  駆動回路基板
１１、１２、３４、６４  吸気口
１３  排気口
２５、５５、７５  ロースター部
２６、５６、７６  遮熱隔壁
２７、５７、７７  開口部（ａ）
２８、５８、７８  排気ダクト
３３−ａ、６３−ａ、８３−ａ、９５−ａ、１０５−ａ  吐出口
８４−ａ、９６−ａ、１０６−ａ  第１の吸気口
８４−ｂ、９６−ｂ、１０６−ｂ  第２の吸気口
３５、６８  ルーバー
１０９  凸溝
【図１】
0004374750.tif 000002
【図２】
0004374750.tif 000003
【図３】
0004374750.tif 000004
【図４】
0004374750.tif 000005
【図５】
0004374750.tif 000006
【図６】
0004374750.tif 000007
【図７】
0004374750.tif 000008
【図８】
0004374750.tif 000009
【図９】
0004374750.tif 000010
【図１０】
0004374750.tif 000011
【図１１】
0004374750.tif 000012
【図１２】
0004374750.tif 000013